(57)【要約】【課題】本発明は、照明機能を有するマウスを提供することを目的とする。【解決手段】本発明のマウスは、マウス本体と、前記マウス本体の内部に設置される電源、制御回路モジュール及び照明モジュールと、を備え、前記電源は、前記制御回路モジュール及び前記照明モジュールに接続されて、前記制御回路モジュール及び前記照明モジュールに動作電圧を提供し、前記照明モジュールは、暖色光を発する第一発光体及び高輝度の光線を発する第二発光体と、前記第一発光体及び前記第二発光体を選択的に点灯する照明制御ユニットと、を備える。【選択図】図１
2012155710.tif 000002
【特許請求の範囲】
【請求項１】
マウス本体と、前記マウス本体の内部に設置される電源、制御回路モジュール及び照明モジュールと、を備え、前記電源は、前記制御回路モジュール及び前記照明モジュールに接続されて、前記制御回路モジュール及び前記照明モジュールに動作電圧を提供し、
前記照明モジュールは、暖色光を発する第一発光体及び高輝度の光線を発する第二発光体と、前記第一発光体及び前記第二発光体を選択的に点灯する照明制御ユニットと、を備えることを特徴とするマウス。
【請求項２】
前記照明モジュールは、過電流保護ユニットをさらに備え、前記過電流保護ユニットは、第一レジスター、第二レジスター、第三レジスター及び第四レジスターを備え、前記第一レジスターは、前記電源と前記第一発光体との間に接続され、前記第二レジスターは、前記電源と前記第二発光体との間に接続され、前記第三レジスター及び前記第四レジスターは、前記電源と前記照明制御ユニットとの間に接続されることを特徴とする請求項１に記載のマウス。
【請求項３】
前記照明制御ユニットは、双投スイッチを備え、前記双投スイッチは、可動端、第一固定端及び第二固定端を備え、前記可動端は接地し、前記第一固定端は、前記第一発光体の陰極に接続され、前記第一発光体の陽極は、前記第一レジスターを通じて前記電源に接続され、前記第二固定端は、前記第二発光体の陰極に接続され、前記第二発光体の陽極は、前記第二レジスターを通じて前記電源に接続され、前記第一固定端は、前記第三レジスターを通じて前記電源に接続され、前記第二固定端は、前記第四レジスターを通じて前記電源に接続されることを特徴とする請求項２に記載のマウス。
【発明の詳細な説明】
【技術分野】
【０００１】
本発明は、マウスに関するものであり、特に照明機能を有するマウスに関するものである。
【背景技術】
【０００２】
無線ブルートゥースの発展に伴って、従来の有線マウスも現在の無線マウスに発展された。夜中に他人の休みを影響しないように、消灯してコンピューターを使用する場合、キーボードタイプが面倒であり、且つ物を探し難い。
【発明の概要】
【発明が解決しようとする課題】
【０００３】
本発明の目的は、前記課題を解決し、照明機能を有するマウスを提供することである。
【課題を解決するための手段】
【０００４】
本発明に係るマウスは、マウス本体と、前記マウス本体の内部に設置される電源、制御回路モジュール及び照明モジュールと、を備え、前記電源は、前記制御回路モジュール及び前記照明モジュールに接続されて、前記制御回路モジュール及び前記照明モジュールに動作電圧を提供し、前記照明モジュールは、暖色光を発する第一発光体及び高輝度の光線を発する第二発光体と、前記第一発光体及び前記第二発光体を選択的に点灯する照明制御ユニットと、を備える。
【発明の効果】
【０００５】
従来の技術に比べて、本発明のマウスは、照明モジュールの照明制御ユニットによって、異なる発光体を選択的に点灯して、夜中にコンピューターを使用しても他人の休みを影響しないか、又は夜中に物を探し易い。
【図面の簡単な説明】
【０００６】
【図１】本発明の実施形態に係るマウスの立体斜視図である。
【図２】本発明の実施形態に係るマウスのシステムブロック図である。
【図３】図２に示す照明モジュールの回路図である。
【発明を実施するための形態】
【０００７】
以下、図面を参照して、本発明の実施形態について説明する。
【０００８】
図１及び図２を参照すると、本発明の実施形態に係るマウス１００は、マウス本体９０と、電源２０と、制御回路モジュール３０と、照明モジュール４０と、を備える。前記照明モジュール４０は、照明制御ユニット５０、過電流保護ユニット６０と、発光ユニット７０と、を備える。前記発光ユニット７０は、第一発光体７１及び第二発光体７２を備える。
【０００９】
前記電源２０、前記制御回路モジュール３０及び前記照明モジュール４０は、全て前記マウス本体９０の内部に設置される。前記電源２０は、前記制御回路モジュール３０及び前記照明モジュール４０に接続されて、前記制御回路モジュール３０及び前記照明モジュール４０に動作電圧を提供するために用いられる。前記制御回路モジュール３０は、現在の無線マウスの制御回路の作動原理と同じである。
【００１０】
図３を参照すると、前記第一発光体７１は、オレンジ色のような暖色光を発する発光ダイオードＤ１であり、夜中にコンピューターを使用しても、他人の休みを影響しないようにする。前記第二発光体７２は、白色光のような高輝度の光線を発する別の発光ダイオードＤ２であり、夜中に物を探すために用いられる。前記第一発光体７１は、前記マウス本体９０のフロントエンドの右側に設置され、前記第二発光体７２は、前記マウス本体９０のバックエンドに設置される。他の実施形態において、前記発光ダイオードＤ１及びＤ２は、小さい電球のような他の発光体であることができ、且つ前記マウス本体９０の他の位置に設置されることができる。
【００１１】
前記照明制御ユニット５０は、双投スイッチＳを備える。前記双投スイッチＳは、可動端ｐｉｎ１と、２つの固定端ｐｉｎ２及びｐｉｎ３を備える。前記可動端ｐｉｎ１は、前記固定端ｐｉｎ２及び前記固定端ｐｉｎ３に選択的に接続されて、前記発光ダイオードＤ１又は前記発光ダイオードＤ２を点灯する。前記照明制御ユニット５０は、前記マウス本体９０のフロントエンドの左側に設置される。
【００１２】
前記過電流保護ユニット６０は、４つのレジスターＲ１、Ｒ２、Ｒ３、Ｒ４を備える。前記レジスターＲ１は、前記発光ダイオードＤ１を保護する分圧器であり、前記レジスターＲ２は、前記発光ダイオードＤ２を保護する分圧器であり、前記レジスターＲ３は、前記発光ダイオードＤ１に分流するために用いられ、前記レジスターＲ４は、前記発光ダイオードＤ２に分流するために用いられる。
【００１３】
前記可動端ｐｉｎ１は、接地される。前記固定端ｐｉｎ２は、前記発光ダイオードＤ１の陰極に接続され、前記発光ダイオードＤ１の陽極は、前記レジスターＲ１を通じて前記電源２０に接続される。前記固定端ｐｉｎ３は、前記発光ダイオードＤ２の陰極に接続され、前記発光ダイオードＤ２の陽極は、前記レジスターＲ２を通じて前記電源２０に接続される。前記固定端ｐｉｎ２は、さらに前記レジスターＲ３を通じて前記電源２０に接続される。前記固定端ｐｉｎ３は、さらに前記レジスターＲ４を通じて前記電源２０に接続される。
【００１４】
ユーザーが前記可動端ｐｉｎ１を前記固定端ｐｉｎ２に接続すると、前記電源２０は電流を出力し、一部分の電流は前記レジスターＲ３に流れ、他の一部分の電流は、前記レジスターＲ１及び前記発光ダイオードＤ１に流れて、前記発光ダイオードＤ１が発光する。ユーザーが前記可動端ｐｉｎ１を前記固定端ｐｉｎ３に接続すると、前記電源２０は電流を出力し、一部分の電流は前記レジスターＲ４に流れ、他の一部分の電流は、前記レジスターＲ２及び前記発光ダイオードＤ２に流れて、前記発光ダイオードＤ２が発光する。
【００１５】
ユーザーが前記双投スイッチＳを切ると、前記照明モジュール４０の電気回路は切断されて、前記発光ダイオードＤ１及び前記発光ダイオードＤ２は、全て発光しない。
【００１６】
本発明の前記マウス１００は、前記照明制御ユニット５０によって、前記発光ダイオードＤ１又は前記発光ダイオードＤ２を選択的に点灯して、夜中にコンピューターを使用しても他人の休みを影響しないか、又は夜中に物を探し易い。
【００１７】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、添付の特許請求の範囲によって決まる。
【符号の説明】
【００１８】
２０  電源
３０  制御回路モジュール
４０  照明モジュール
５０  照明制御ユニット
６０  過電流保護ユニット
７０  発光ユニット
７１  第一発光体
７２  第二発光体
９０  マウス本体
１００  マウス
Ｓ  双投スイッチ
ｐｉｎ１  可動端
ｐｉｎ２、ｐｉｎ３  固定端
Ｒ１、Ｒ２、Ｒ３、Ｒ４  レジスター
Ｄ１、Ｄ２  発光ダイオード
【図１】
2012155710.tif 000003
【図２】
2012155710.tif 000004
【図３】
2012155710.tif 000005